(57)【要約】【課題】レジストレーションずれを防止する。【解決手段】取り付け基準となる1つの投射用表示素子１９Ｇと少なくとも位置合わせ対象の投射用表示素子（１９Ｒ），（１９Ｂ）とにそれぞれ印加した調整用パターン信号が色合成されてスクリーンに投射されたＸ軸及びＹ軸方向調整用十字状パターン画像Ｇｘｙをデジタルカメラ５５で撮影して、このデジタルカメラ５５からの出力信号を取り込むと共に、デジタルカメラ５５からの出力信号に基づいてＸ軸方向調整用の垂直線上での各色光の位置ズレ量及びＹ軸方向調整用の水平線上での各色光の位置ズレ量を検出して許容閾値と比較する制御手段５１を備えて、前記垂直線上及び水平線上での各色光の位置ズレ量が許容閾値内に収まるように位置合わせ対象の投射用表示素子（１９Ｒ），（１９Ｂ）を位置合わせ用変位手段３０，４０を介してＸ軸方向，Ｙ軸方向に調整する。【選択図】      図４
2007078714.tif 000002
【特許請求の範囲】
【請求項１】
光源から出射された白色光をＲ光，Ｇ光，Ｂ光に色分離する３色分離手段と、前記３色分離手段で色分離された前記Ｒ光，前記Ｇ光，前記Ｂ光を各色光に対応した画像信号で光変調して各色光の画像光を生成する３つの投射用表示素子と、前記３つの投射用表示素子で生成された各色光の画像光を合成してカラー画像光を得る色合成手段と、前記カラー画像光をスクリーンに表示する投射レンズと、を有する投射型表示システムにおいて、
前記スクリーンを撮影する撮影手段と、
前記スクリーンの水平方向に水平線を、垂直方向に垂直線を表示させる調整用信号を前記３つの投射用表示素子に供給する調整用パターン信号発生器と、
前記３つの投射用表示素子のうちのいずれか１つを基準投射用表示素子とした時に、前記撮影手段で撮影された撮影画像に基づいて、前記スクリーンに表示された前記基準投射用表示素子の基準水平線及び基準垂直線からの前記スクリーンに表示された前記基準投射用表示素子以外の他の投射用表示素子の前記水平線及び前記垂直線のそれぞれの位置ずれ量を求めて、この位置ずれ量を予め決められた閾値と比較して、前記基準水平線及び前記基準垂直線に合致させる誤差制御信号を出力する制御手段と、
前記誤差制御信号に基づいて、前記他の投射用表示素子を変位させる変位手段と、
を備えたことを特徴とする投射型表示システム。
【発明の詳細な説明】
【技術分野】
【０００１】
本発明は、ＲＧＢ３原色に対応して３つの投射用表示素子を備えた投射型表示システムにおいて、取り付け基準となる1つの投射型表示素子から出射される基準の色光（Ｇ光）に対して残りの２つの投射用表示素子からそれぞれ出射される各色光（Ｒ光，Ｂ光）を位置合わせすることで、レジストレーションずれを防止できる投射型表示システムに関するものである。
【背景技術】
【０００２】
最近、映像情報の多様化・高画質化が進み、ハイビジョン放送規格やコンピータ・グラフィクスのＳＶＧＡ規格に代表される高品質映像データが増加し、これに伴って高品質映像データを拡大表示するために投射型表示システムが盛んに利用されている。
【０００３】
この種の投射型表示システムのうちで３板式の投射型表示システムは、ＲＧＢ３原色と対応して各色ごとに用意した３つの投射用表示素子に表示された各画像を光学的に合成して、カラー画像を投射レンズよりスクリーン上に拡大して表示している。ここで、３つの投射用表示素子に表示された各画像を光学的に合成する際、各投射用表示素子の光学的画像合成手段に対する位置がずれれば、スクリーン上に拡大して表示したカラー画像のレジストレーションがずれて画質を損なうことになる。
【０００４】
そこで、本出願人は、スクリーンの前方にフォトセンサを設置してユーザー先でもレジストレーション調整を簡易に行うことができる投射型表示装置を先に提案した（例えば、特許文献１参照）。
【特許文献１】特開２００３−２３３１２５号公報
【０００５】
従来の投射型表示装置は上記した特許文献１（特開２００３−２３３１２５号公報）に開示されており、取り付け基準となる1つの投射用表示素子を除いた残りの２つの投射用表示素子の取り付け位置をＸ軸方向及び／又はＹ軸方向に変位させるための駆動手段と、各色の調整用パターン信号を各色ごとに同じパターンでＸ軸方向とＹ軸方向とに変化させながら各色の投射用表示素子にそれぞれ順次印加する調整用パターン信号発生器と、前記残りの２つの投射用表示素子の取り付け位置を調整する時にスクリーンの前方に設置したフォトセンサの出力を入力する端子と、前記各色の投射用表示素子に順次印加した各色の調整用パターン信号に対応した各色の調整用パターン画像光を前記フォトセンサで順次受光し、且つ、前記フォトセンサからの各出力を前記端子を介して入力した時に各出力値を検出する検出手段とで概略構成されている。
【発明の開示】
【発明が解決しようとする課題】
【０００６】
ところで、上記した従来の投射型表示装置では、各色の調整用パターン信号に対応した各色の調整用パターン画像光をスクリーンの前方に設置したフォトセンサで順次受光して、このフォトセンサの検出結果に基づいて取り付け基準となる1つの投射用表示素子を除いた残りの２つの投射用表示素子の取り付け位置をＸ軸方向及び／又はＹ軸方向に変位させることで、レジストレーション調整を高精度・自動的に簡単に行うことができると共に、サービスマンなどがフォトセンサを持参していれば、ユーザー先でレジストレーション調整を簡易に行うことができるものの、スクリーンの前方にフォトセンサを設置する際に設置工数がかかり問題となっている。
【０００７】
そこで、フォトセンサを用いずにユーザー先でレジストレーション調整を短時間でより一層簡易に行うことができる投射型表示システムが望まれている。
【課題を解決するための手段】
【０００８】
本発明は上記課題に鑑みてなされたものであり、請求項１記載の発明は、光源から出射された白色光をＲ光，Ｇ光，Ｂ光に色分離する３色分離手段と、前記３色分離手段で色分離された前記Ｒ光，前記Ｇ光，前記Ｂ光を各色光に対応した画像信号で光変調して各色光の画像光を生成する３つの投射用表示素子と、前記３つの投射用表示素子で生成された各色光の画像光を合成してカラー画像光を得る色合成手段と、前記カラー画像光をスクリーンに表示する投射レンズと、を有する投射型表示システムにおいて、
前記スクリーンを撮影する撮影手段と、
前記スクリーンの水平方向に水平線を、垂直方向に垂直線を表示させる調整用信号を前記３つの投射用表示素子に供給する調整用パターン信号発生器と、
前記３つの投射用表示素子のうちのいずれか１つを基準投射用表示素子とした時に、前記撮影手段で撮影された撮影画像に基づいて、前記スクリーンに表示された前記基準投射用表示素子の基準水平線及び基準垂直線からの前記スクリーンに表示された前記基準投射用表示素子以外の他の投射用表示素子の前記水平線及び前記垂直線のそれぞれの位置ずれ量を求めて、この位置ずれ量を予め決められた閾値と比較して、前記基準水平線及び前記基準垂直線に合致させる誤差制御信号を出力する制御手段と、
前記誤差制御信号に基づいて、前記他の投射用表示素子を変位させる変位手段と、
を備えたことを特徴とする投射型表示システムである。
【発明の効果】
【０００９】
以上詳述した本発明に係る投射型表示システムによると、取り付け基準となる1つの基準投射用表示素子から出射される基準の色光に対して残りの２つの投射用表示素子からそれぞれ出射される各色光を位置合わせしてレジ合わせを行う場合に、基準投射用表示素子とこれ以外の投射用表示素子とにそれぞれ印加した調整用信号が色合成されてスクリーンに投射された調整用パターン画像を撮影手段となるカメラで撮影して、このカメラからの出力信号に基づいて位置合わせ対象の投射用表示素子の取り付け位置を調整できるので、従来例で説明したようなフォトセンサ設置工数を必要とせず、サービスマンなどがカメラを持参していれば、ユーザー先でレジストレーション調整を短時間でより一層簡易に行うことができる。
【発明を実施するための最良の形態】
【００１０】
以下に本発明に係る投射型表示システムの一実施例について図１〜図１３を参照して実施例１，実施例２の順に詳細に説明する。
【実施例１】
【００１１】
図１は本発明に係る実施例１の投射型表示システムの光学的な構成を示した構成図、
図２（ａ），（ｂ）は図１に示した投射用表示素子（反射型液晶ライトバルブ）をＸ軸方向及び／又はＹ軸方向に変位させるＸ軸駆動部及びＹ軸駆動部を説明するための斜視図、
図３は図１に示したＲ，Ｇ，Ｂ用の各偏光ビームスプリッタを、３色合成用のクロスダイクロイックプリズムに一体的に取り付けた状態を示した斜視図である。
【００１２】
図１に示した如く、本発明に係る実施例１の投射型表示システム１０Ａでは、筐体１１内に読み出し用の光源１２が設けられており、この光源１２から出射されたＲ（赤色）光，Ｇ（緑色）光，Ｂ（青色）光を含む光源光Ｌは、コールドミラー１３で入射方向に対して直角方向に反射されて、Ｘ字状に配置されたクロスダイクロイックミラー１４に入射される。
【００１３】
上記クロスダイクロイックミラー１４は、Ｂ光反射特性を有するダイクロイックミラー１４ｂと、Ｒ光及びＧ光反射特性を有するダイクロイックミラー１４ｒｇとでＸ字状にクロスして形成されている。
【００１４】
そして、クロスダイクロイックミラー１４のダイクロイックミラー１４ｂによって光源光ＬからＢ光が分離され、このＢ光がダイクロイックミラー１４ｂで入射方向に対して直角方向に反射されて折り曲げミラー１５に入射され、更に、Ｂ光は折り曲げミラー１５で入射方向に対して直角方向に反射されて後述の偏光ビームスプリッタ１８Ｂに入射されている。
【００１５】
一方、クロスダイクロイックミラー１４のダイクロイックミラー１４ｒｇによって光源光ＬからＲ光及びＧ光が分離され、これらのＲ光及びＧ光がダイクロイックミラー１４ｒｇで入射方向に対して直角方向に反射されて折り曲げミラー１６に入射され、更に、Ｒ光及びＧ光は折り曲げミラー１６で入射方向に対して直角方向に反射されてダイクロイックミラー１７に入射されている。そして、ダイクロイックミラー１７によってＲ光とＧ光とに分離され、分離されたＲ光はそのまま直進して後述の偏光ビームスプリッタ１８Ｒに入射される一方、分離されたＧ光は入射方向に対して直角方向に反射されて後述の偏光ビームスプリッタ１８Ｇに入射されている。
【００１６】
上記からクロスダイクロイックミラー１４とダイクロイックミラー１７とで、光源光ＬをＲ，Ｇ，Ｂの３原色に分離する３色分離手段が構成されている。
【００１７】
次に、Ｒ，Ｇ，Ｂの３原色に対応して各色用の偏光ビームスプリッタ１８Ｒ，１８Ｇ，１８Ｂが後述する３色合成用のクロスダイクロイックプリズム２１を中心にして、クロスダイクロイックプリズム２１の３面に対向して配置されている。
【００１８】
また、Ｒ，Ｇ，Ｂの３原色に対応して３つの投射用表示素子１９Ｒ，１９Ｇ，１９Ｂが各ベース台２０に取り付けられた状態で偏光ビームスプリッタ１８Ｒ，１８Ｇ，１８Ｂと対向して配置されている。ここでは、Ｒ，Ｇ，Ｂの３原色に対応して３つの投射用表示素子１９Ｒ，１９Ｇ，１９Ｂとして反射型液晶ライトバルブが用いられているので、以下、反射型液晶ライトバルブ１９Ｒ，１９Ｇ，１９Ｂと記して説明する。
【００１９】
これらの反射型液晶ライトバルブ１９Ｒ，１９Ｇ，１９Ｂのうちで例えばＧ用の反射型液晶ライトバルブ１９Ｇは、Ｒ用及びＢ用の反射型液晶ライトバルブ１９Ｒ，１９Ｂに対してレジストレーション調整時に取り付け基準となるようにベース台２０上にしっかりと固定されている。
【００２０】
一方、位置合わせ対象となるＲ用及びＢ用の反射型液晶ライトバルブ１９Ｒ，１９Ｂは、ベース台２０，２０上に設けたライトバルブＸ軸駆動部３０，３０及びライトバルブＹ軸駆動部４０，４０によりＸ軸方向及び／又はＹ軸方向に変位自在になっており、これらの構造で位置合わせするための位置合わせ用変位手段を構成している。
【００２１】
この理由を説明すると、カラー画像を後述するスクリーン２３上に投射した時に、Ｒ，Ｇ，Ｂの３原色の中でＧ光は最も解像度に影響を与える。また、Ｒ光はその次に解像度に影響を与え、Ｂ光は解像度に影響を与える割合が比較的少ない。従って、レジストレーション調整は相対的な位置調整なので、最も解像度に影響するＧ用の反射型液晶ライトバルブ１９Ｇを取り付け基準用として固定し、この取り付け基準となるＧ用の反射型液晶ライトバルブ１９Ｇから出射される基準の色光（Ｇ光）に対して残りのＲ用及びＢ用の反射型液晶ライトバルブ１９Ｒ，１９Ｂからそれぞれ出射される各色光（Ｒ光，Ｂ光）を位置合わせすることでレジストレーション調整を行えば良いものである。
【００２２】
ここで、上記した位置合わせ用変位手段となるライトバルブＸ軸駆動部３０及びライトバルブＹ軸駆動部４０は、図２（ａ），（ｂ）に拡大して示した如く、固定部材となるベース台２０上にＸ軸移動台３１とＹ軸移動台４１とが二段重ねされて、後述するように第１，第２ステッピングモータ３３，４３の駆動力によって両移動台３１，４１がＸ軸方向，Ｙ軸方向に自動的に変位自在に設けられている。また、Ｙ軸移動台４１上に、位置合わせ対象となるＲ用の反射型液晶ライトバルブ１９Ｒ又はＢ用の反射型液晶ライトバルブ１９Ｂが偏光ビームスプリッタ１８Ｒ側又は偏光ビームスプリッタ１８Ｂ側に向かって固着されている。この際、矩形状の各台２０，３１，４１は縦横寸法が略同じサイズに形成されている。
【００２３】
尚、ベース台２０の下面に取り付けた支持枠体２６Ｒ又は支持枠体２６Ｂは、Ｒ用の偏光ビームスプリッタ１８Ｒ側又はＢ用の偏光ビームスプリッタ１８Ｂ側に取り付けるためのものであり、これについては後述する。
【００２４】
この実施例１では、ライトバルブＸ軸駆動部３０のＸ軸移動台３１がベース台２０上をＸ軸方向に変位自在に取り付けられ、且つ、ライトバルブＹ軸駆動部４０のＹ軸移動台４１がＸ軸移動台３１上をＹ軸方向に変位自在に取り付けられ、更に、Ｙ軸移動台４１上にＲ用の反射型液晶ライトバルブ１９Ｒ又はＢ用の反射型液晶ライトバルブ１９Ｂが固着されている。
【００２５】
また、上記したライトバルブＸ軸駆動部３０では、ベース台２０の前側面２０ａに第１ラック３２がＸ軸に沿って水平に取り付けられ、且つ、Ｘ軸移動台３１の前側面３１ａに第１ステッピングモータ３３がＸ軸に沿って水平に取り付けられ、更に、第１ステッピングモータ３３の軸に第１ウォーム３４が固着されて、この第１ウォーム３４が第１ラック３２に噛合している。これにより、第１ステッピングモータ３３を正転又は逆転させると、第１ラック３２と第１ウォーム３４との噛合でＸ軸移動台３１がＸ軸方向に自動的に変位できるようになっている。
【００２６】
また、ベース台２０の前側面２０ａには第１光遮蔽板３５が取り付けられ、この第１光遮蔽板３５と対向してＸ軸移動台３１の前側面３１ａに第１光検出器３６が取り付けられている。そして、第１光遮蔽板３５が第１光検出器３６を遮った点がＸ軸上の基準位置（Ｘ０）を示し、第１ステッピングモータ３３を駆動する時のパルスでＸ軸移動台３１がＸ軸上の基準位置（Ｘ０）を中心に＋方向又は−方向に変位自在になっている。
【００２７】
尚、Ｙ軸移動台４１の前側面４１ａには何も取り付けられていない。
【００２８】
一方、上記したライトバルブＹ軸駆動部４０では、Ｘ軸移動台３１の右側面３１ｂに第２ラック４２がＹ軸に沿って略水平に取り付けられ、且つ、Ｙ軸移動台４１の右側面４１ｂに第２ステッピングモータ４３がＹ軸に沿って略水平に取り付けられ、更に、第２ステッピングモータ４３の軸に第２ウォーム４４が固着されて、この第２ウォーム４４が第２ラック４２に噛合している。これにより、第２ステッピングモータ４３を正転又は逆転させると、第２ラック４２と第２ウォーム４４との噛合でＹ軸移動台４１がＹ軸方向に自動的に変位できるようになっている。
【００２９】
また、Ｘ軸移動台３１の右側面３１ｂには第２光遮蔽板４５が取り付けられ、この第２光遮蔽板４５と対向してＹ軸移動台４１の右側面４１ｂに第２光検出器４６が取り付けられている。そして、第２光遮蔽板４５が第２光検出器４６を遮った点がＹ軸上の基準位置（Ｙ０）を示し、第２ステッピングモータ４３を駆動する時のパルスでＹ軸移動台４１がＹ軸上の基準位置（Ｙ０）を中心に＋方向又は−方向に変位自在になっている。
【００３０】
従って、図２（ｂ）に示したようにＲ用の反射型液晶ライトバルブ１９Ｒ又はＢ用の反射型液晶ライトバルブ１９Ｂを垂設した時に、ベース台２０上に変位自在に設けたＸ軸，Ｙ軸移動台３１，４１によってＲ用の反射型液晶ライトバルブ１９Ｒ又はＢ用の反射型液晶ライトバルブ１９ＢがＸ軸方向及び／又はＹ軸方向に位置調整可能になっている。
【００３１】
尚、ここでは、Ｒ用の反射型液晶ライトバルブ１９Ｒ又はＢ用の反射型液晶ライトバルブ１９ＢをＹ軸移動台４１上に固着させているが、ベース台２０上にＹ軸移動台４１を取り付け、このＹ軸移動台４１上にＸ軸移動台３１を取り付け、更に、Ｘ軸移動台３１上にＲ用の反射型液晶ライトバルブ１９Ｒ又はＢ用の反射型液晶ライトバルブ１９Ｂを固着させて取り付けても良い。
【００３２】
尚また、Ｇ用の反射型液晶ライトバルブ１９Ｇもベース台２０上に二段重ねで設けたライトバルブＸ軸駆動部３０及びライトバルブＹ軸駆動部４０に取り付けても良いが、この場合にはＧ用の反射型液晶ライトバルブ１９ＧをライトバルブＸ軸駆動部３０及びライトバルブＹ軸駆動部４０の各基準位置（Ｘ０，Ｙ０）に固定しておけば良い。
【００３３】
図１に戻り、この後、偏光ビームスプリッタ１８Ｒ，１８Ｇ，１８Ｂにそれぞれ入射されたＲ光，Ｇ光，Ｂ光は、偏光ビームスプリッタ１８Ｒ，１８Ｇ，１８Ｂによる偏光分離機能でそれぞれ反射されるＳ偏光光と、それぞれ透過するＰ偏光光とに偏光分離される。この偏光分離されたＲ光，Ｇ光，Ｂ光のＳ偏光光がそれぞれ各色用の反射型液晶ライトバルブ１９Ｒ，１９Ｇ，１９Ｂに入射され、偏光分離されたＲ光，Ｇ光，Ｂ光のＰ偏光光は廃棄されている。
【００３４】
更に、反射型液晶ライトバルブ１９Ｂ，１９Ｒ，１９Ｇでは、それぞれに表示された各画像をＲ光，Ｇ光，Ｂ光のＳ偏光光で光変調してＲ光，Ｇ光，Ｂ光の各画像光を得て、ここで得られた各色の画像光が再び偏光ビームスプリッタ１８Ｒ，１８Ｇ，１８Ｂに入射されてそのまま直進して３色合成用のクロスダイクロイックプリズム２１に入射されている。
【００３５】
上記した３色合成用のクロスダイクロイックプリズム２１は、投射レンズ２２の光軸Ｋ上に設置されている。このクロスダイクロイックプリズム２１は、同一の屈折率を有する４個の直角二等辺三角形プリズムで構成され、且つ、所定の斜面に誘電体多層膜からなるＲ光反射ダイクロイック膜２１ｒとＢ光反射ダイクロイック膜２１ｂとをＸ字状にクロスして形成されている。そして、クロスダイクロイックプリズム２１に入射されたＲ光及びＢ光の画像光はダイクロイック膜２１ｒ，２１ｂによってそれぞれ入射方向に対して直角方向に反射され、一方、クロスダイクロイックプリズム２１に入射されたＧ光の画像光はダイクロイック膜２１ｒ，２１ｂを透過して直進することで、各色の画像光がクロスダイクロイックプリズム２１で光学的に合成されてカラー画像光となり、このカラー画像光が投射レンズ２２によってスクリーン２３上に拡大して投射されている。
【００３６】
尚、スクリーン２３は、投射型表示システム１０Ａから離れて設置されているために、投射型表示システム１０Ａとは別体のもとして扱われている。
【００３７】
そして、図３に示した如く、実施例１の投射型表示システム１０Ａを組み立てる際に、各色用の偏光ビームスプリッタ１８Ｒ，１８Ｇ，１８Ｂと、３色合成用のクロスダイクロイックプリズム２１の各対向面との間に連結部材２４Ｒ，２４Ｇ，２４Ｂを介在させることで、各色用の偏光ビームスプリッタ１８Ｒ，１８Ｇ，１８Ｂが３色合成用のクロスダイクロイックプリズム２１に対して光軸が一致するように一体的に取り付けられている。
【００３８】
また、各色用の偏光ビームスプリッタ１８Ｒ，１８Ｇ，１８Ｂには、反射型液晶ライトバルブ１９Ｒ，１９Ｇ，１９Ｂと対向する側にブラケット２５Ｒ，２５Ｇ，２５Ｂが接着材を用いて固着されている。この際、Ｇ色用のブラケット２５ＧはＧ用の反射型液晶ライトバルブ１９Ｇを固着したベース台２０を支持した不図示の支持枠体（２６Ｇ）を連結するためのものである。また、Ｒ用及びＢ用のブラケット２５Ｒ，２５Ｂは、Ｒ用及びＢ用の反射型液晶ライトバルブ１９Ｒ，１９ＢをＸ軸方向及び／又はＹ軸方向に変位自在に取り付けたベース台２０，２０を支持した支持枠体２６Ｒ，２６Ｂ（図２）を連結するためのものである。
【００３９】
ここで、本発明に係る実施例１の投射型表示システム１０Ａにおいて、実施例１の要部となる信号処理部について図４〜図７を用いて説明する。
【００４０】
図４は本発明に係る実施例１の投射型表示システム内に設けた信号処理部を示したブロック図、
図５は図４に示したＸ軸及びＹ軸方向調整用十字状パターン画像Ｇｘｙに基づいてＲ用及び／又はＢ用の反射型液晶ライトバルブをＸ軸方向，Ｙ軸方向に調整する動作を説明するための図、
図６（ａ）〜（ｄ）は図５に示したＸ軸及びＹ軸方向調整用十字状パターン画像ＧｘｙのＸ軸方向検出位置（又は、Ｙ軸方向検出位置）内において、基準となるＧ光に対してＲ光，Ｂ光の位置ズレ状態を説明するために模式的に示した図、
図７は図４に示したＸ軸方向調整用パターン画像Ｇｘ，Ｙ軸方向調整用パターン画像Ｇｙに基づいてＲ用及び／又はＢ用の反射型液晶ライトバルブをＸ軸方向，Ｙ軸方向に調整する動作を説明するための図である。
【００４１】
図４に示した実施例１の信号処理部５０Ａにおいて、前述したように、取り付け位置調整時の基準となるＧ用の反射型液晶ライトバルブ（１９Ｇ）にはライトバルブＸ軸駆動部及びライトバルブＹ軸駆動部が設けられてなく、一方、Ｇ用の反射型液晶ライトバルブ（１９Ｇ）に対して取り付け位置を調整するＲ用，Ｂ用の反射型液晶ライトバルブ１９Ｒ，１９ＢにライトバルブＸ軸駆動部３０及びライトバルブＹ軸駆動部４０がそれぞれ設けられているものの、図示の都合上、偏向ビームスプリッタ１８Ｒ，（１８Ｇ），１８Ｂ及び反射型液晶ライトバルブ１９Ｒ，（１９Ｇ），１９Ｂをそれぞれ1つのみ図示している。
【００４２】
上記した実施例１の信号処理部５０Ａでは、実施例１の投射型表示システム１０Ａ（図１）の全体を制御する制御手段となるマイコン５１と、内部に調整用パターン信号発生器５２Ａを有し且つマイコン５１からの指令によりＲ用，（Ｇ用），Ｂ用の反射型液晶ライトバルブ１９Ｒ，（１９Ｇ），１９Ｂに映像信号５２ｓと後述するＸ軸及びＹ軸方向調整用十字状パターン信号５２ｘｙ（又は、Ｘ軸方向調整用パターン信号５２ｘ，Ｙ軸方向調整用パターン信号５２ｙ）とをそれぞれのタイミングで印加する映像回路５２と、マイコン５１からの指令によりＲ用，Ｂ用の反射型液晶ライトバルブ１９Ｒ，１９Ｂをそれぞれ取り付けたライトバルブＸ軸駆動部３０及びライトバルブＹ軸駆動部４０にＸ軸駆動信号５３ａ及びＹ軸駆信号５４ａをそれぞれのタイミングで供給するライトバルブＸ軸駆動回路５３及びライトバルブＹ軸駆動回路５４と、Ｒ用，Ｂ用の反射型液晶ライトバルブ１９Ｒ，１９Ｂの取り付け位置調整時にＸ軸及びＹ軸方向調整用十字状パターン信号５２ｘｙ（又は、Ｘ軸方向調整用パターン信号５２ｘ，Ｙ軸方向調整用パターン信号５２ｙ）に基づいてスクリーン２３に投射したＸ軸及びＹ軸方向調整用十字状パターン画像Ｇｘｙ（又は、Ｘ軸方向調整用パターン画像Ｇｘ，Ｙ軸方向調整用パターン画像Ｇｙ）を撮影したデジタルカメラ５５からのＸ軸及びＹ軸方向調整用十字状パターン・デジタル画像信号５５ｘｙ（又は、Ｘ軸方向調整用パターン・デジタル画像信号５５ｘ，Ｙ軸方向調整用パターン・デジタル画像信号５５ｙ）を入力してマイコン５１側に送出する端子Ｔ１とで構成されている。
【００４３】
この際、ライトバルブＸ軸駆動部３０及びライトバルブＹ軸駆動部４０は、図２（ａ），（ｂ）を用いて前述したように、第１光遮蔽板３５と第１光検出器３６とによりＸ軸移動台３１のＸ軸方向の基準位置（Ｘ０）を示すＸ軸基準位置信号３０ａと、第２光遮蔽板４５と第２光検出器４６とによりＹ軸移動台４１のＹ軸方向の基準位置（Ｙ０）を示すＹ軸基準位置信号４０ａとを、マイコン５１にそれぞれ入力している。そして、Ｘ軸基準位置信号３０ａ及びＹ軸基準位置信号４０ａがそれぞれ出力されたタイミングで第１ステッピングモータ３３及び第２ステッピングモータ４３のパルス数を計数するためにマイコン５１内に設けた図示しない計数カウンタをプリセットしている。これによりＸ軸移動台３１及びＹ軸移動台４１の位置と計数カウンタの値は所定の関係を保持することができる。
【００４４】
また、上記したデジタルカメラ５５は、Ｇ用の反射型液晶ライトバルブ１９Ｇを取り付け基準としてＲ用，Ｂ用の反射型液晶ライトバルブ１９Ｒ，１９Ｂの取り付け位置を調整する時に用いられるものであり、ユーザー先でＲ用の反射型液晶ライトバルブ１９Ｒ及び／又はＢ用の反射型液晶ライトバルブ１９Ｂへの取り付け位置を調整する場合にサービスマンがデジタルカメラ５５を持参すれば良いものである。
【００４５】
尚、ここではデジタルカメラ５５からのデジタル出力信号をマイコン５１内に取り込んでいるが、不図示のアナログカメラを用いても良く、このアナログカメラを用いた場合にはアナログカメラからのアナログ出力信号をＡ／Ｄ変換すれば良いものである。
【００４６】
ここで、デジタルカメラ５５で撮影した時のカラー画像は、図５に示すＸ軸及びＹ軸方向調整用十字状パターン画像Ｇｘｙによる形式の場合、又は、図７に示すＸ軸方向調整用パターン画像Ｇｘ，Ｙ軸方向調整用パターン画像Ｇｙによる形式の場合のいずれか一方である。
【００４７】
まず、図５に示したＸ軸及びＹ軸方向調整用十字状パターン画像Ｇｘｙをデジタルカメラ５５で撮影して端子Ｔ１を介してマイコン５１のメモリ５１ａ内に取り込んだ時のカラー画像データは図５の形式と等価であるため、以下、図５を代用して説明する。
【００４８】
上記したＸ軸及びＹ軸方向調整用十字状パターン画像Ｇｘｙは、横方向が縦方向よりも長いスクリーン２３（図１，図４）に投射されたカラー画像の画枠の中心０を通って水平方向のＸ軸と垂直方向のＹ軸とを直交させて設定した時に、画枠の中心０を通ってＸ軸方向とＹ軸方向とに直交し且つ太さが１ピクセルの十字状の白線部と、この白線部以外の画枠内を黒色で塗りつぶした黒色部とからなっており、且つ、十字状の白線部は反射型液晶ライトバルブ１９Ｒ，１９Ｇ，１９ＢからのＲ光，Ｇ光，Ｂ光を色合成したものである。
【００４９】
尚、この実施例１におけるＸ軸及びＹ軸方向調整用十字状パターン画像Ｇｘｙにおいて、上記した十字状の白線部は必ずしもＸ軸及びＹ軸に一致させる必要もなく、Ｘ軸及びＹ軸と平行で画枠の中心０近傍で直交させれば良いものである。
【００５０】
この際、Ｘ軸及びＹ軸方向調整用十字状パターン画像ＧｘｙのＸ軸方向検出位置（又は、Ｙ軸方向検出位置）内において、図６（ａ）に示したように、基準となるＧ光に対してＲ光及びＢ光が共に一致していれば１本の白線部として表示され、この白線部を信号波形で見るとＧ光のピーク出力位置に対してＲ光のピーク出力位置及びＢ光のピーク出力位置が一致している。
【００５１】
また、図６（ｂ）に示したように、Ｇ光に対してＲ光が一致し、且つ、Ｂ光が位置ズレしていれば２本の線として表示され、これを信号波形で見るとＧ光のピーク出力位置に対してＲ光のピーク出力位置が一致しているものの、Ｂ光のピーク出力位置は位置ズレしている。
【００５２】
また、図６（ｃ）に示したように、Ｇ光に対してＢ光が一致し、且つ、Ｒ光が位置ズレしていても２本の線として表示され、これを信号波形で見るとＧ光のピーク出力位置に対してＢ光のピーク出力位置が一致しているものの、Ｒ光のピーク出力位置は位置ズレしている。
【００５３】
更に、図６（ｄ）に示したように、Ｇ光に対してＲ光及びＢ光が共に位置ズレしていれば図６（ｄ）に示したように３本の線として表示され、これを信号波形で見るとＧ光のピーク出力位置に対してＲ光のピーク出力位置及びＢ光のピーク出力位置が共に位置ズレしている。
【００５４】
上記からＧ光のピーク出力位置に対してＲ光のピーク出力位置の位置ズレ量及びＢ光のピーク出力位置の位置ズレ量をそれぞれ検出することができるものである。
【００５５】
再び図５に戻り、Ｘ軸及びＹ軸方向調整用十字状パターン画像ＧｘｙによりＧ用の反射型液晶ライトバルブ１９Ｒに対してＲ用の反射型液晶ライトバルブ１９Ｒ及び／又はＢ用の反射型液晶ライトバルブ１９ＢをＸ軸方向に取り付け位置を調整するにあたって、Ｘ軸及びＹ軸方向調整用十字状パターン画像Ｇｘｙ中において、画枠の中心０近傍を通過する１本のＨ走査線（水平方向走査線）が十字状の白線部中でＹ軸に平行な垂直線（＝Ｙ軸）と交差する点、言い換えると、十字状の白線部中でＹ軸に平行な垂直線（＝Ｙ軸）上で画枠の中心０近傍の点がＸ軸方向検出位置であり、この点でＧ光に対してＲ光及び／又はＢ光がＸ軸方向に位置ズレしていると、完全な白色の点にならないので、Ｇ光に対するＲ光及び／又はＢ光のＸ軸方向への各位置ズレ量をマイコン５１内で検出して予め設定した許容閾値と比較し、Ｒ光及び／又はＢ光のＸ軸方向への各位置ズレ量が予め設定した許容閾値内に収まるようにＲ光及び／又はＢ光用の各誤差制御信号をマイコン５１内で生成し、Ｒ光及び／又はＢ光用の各誤差制御信号に基づいてＲ用の反射型液晶ライトバルブ１９Ｒ及び／又はＢ用の反射型液晶ライトバルブ１９ＢをＲ用及び／又はＢ用のライトバルブＸ軸駆動回路５３，ライトバルブＸ軸駆動部３０を介してＸ軸方向に調整している。
【００５６】
一方、Ｘ軸及びＹ軸方向調整用十字状パターン画像ＧｘｙによりＧ用の反射型液晶ライトバルブ１９Ｒに対してＲ用の反射型液晶ライトバルブ１９Ｒ及び／又はＢ用の反射型液晶ライトバルブ１９ＢをＹ軸方向に取り付け位置を調整するにあたって、Ｘ軸及びＹ軸方向調整用十字状パターン画像Ｇｘｙ中において、画枠の中心０近傍を通過する１本のＶ走査線（垂直方向走査線）が十字状の白線部中でＸ軸に平行な水平線（＝Ｘ軸）と交差する点、言い換えると、十字状の白線部中でＸ軸に平行な水平線（＝Ｘ軸）上で画枠の中心０近傍の点がＹ軸方向検出位置であり、この点でＧ光に対してＲ光及び／又はＢ光がＹ軸方向に位置ズレしていると、完全な白色の点にならないので、Ｇ光に対するＲ光及び／又はＢ光のＹ軸方向への各位置ズレ量をマイコン５１内で検出して予め設定した許容閾値と比較し、Ｒ光及び／又はＢ光のＹ軸方向への各位置ズレ量が予め設定した許容閾値内に収まるようにＲ光及び／又はＢ光用の各誤差制御信号をマイコン５１内で生成し、Ｒ光及び／又はＢ光用の各誤差制御信号に基づいてＲ用の反射型液晶ライトバルブ１９Ｒ及び／又はＢ用の反射型液晶ライトバルブ１９ＢをＲ用及び／又はＢ用のライトバルブＹ軸駆動回路５４，ライトバルブＹ軸駆動部４０を介してＹ軸方向に調整している。
【００５７】
この後、Ｒ用の反射型液晶ライトバルブ１９Ｒ及び／又はＢ用の反射型液晶ライトバルブ１９Ｂの取り付け位置の調整が終了したら、反射型液晶ライトバルブ１９Ｒ，１９Ｇ，１９Ｂに映像回路５２から各色の映像信号５２ｓを同時に印加することで、スクリーン２３上にレジストレーションのずれが生じていないカラー画像を得ることができる。
【００５８】
次に、図７に示したＸ軸方向調整用パターン画像Ｇｘ，Ｙ軸方向調整用パターン画像Ｇｙをデジタルカメラ５５で撮影して端子Ｔ１を介してマイコン５１のメモリ５１ａ内に取り込んだ時のカラー画像データは図７の形式と等価であるため、以下、図７を代用して説明する。
【００５９】
上記したＸ軸方向調整用パターン画像Ｇｘ，Ｙ軸方向調整用パターン画像Ｇｙは、先に図５を用いて説明したＸ軸及びＹ軸方向調整用十字状パターン画像Ｇｘｙ中でＸ軸方向検出位置，Ｙ軸方向検出位置の各部分だけを抜き出したものであり、より具体的に説明すると、横方向が縦方向よりも長いスクリーン２３（図１，図４）に投射されたカラー画像の画枠の中心０を通って水平方向のＸ軸と垂直方向のＹ軸とを直交させて設定した時に、Ｘ軸方向調整用パターン画像Ｇｘは画枠の中心０近傍に太さが１ピクセルで部分的に表示した垂直白線部とこの垂直白線部に平行な両側を黒色で塗りつぶした黒色部とでＸ軸方向検出位置を形成し、一方、Ｙ軸方向調整用パターン画像Ｇｙは画枠の中心０近傍に太さが１ピクセルで部分的に表示した水平白線部とこの水平白線部に平行な両側を黒色で塗りつぶした黒色部とでＹ軸方向検出位置を形成し、更に、Ｘ軸方向検出位置内の垂直白線部及びＹ軸方向検出位置内の水平白線部は反射型液晶ライトバルブ１９Ｒ，１９Ｇ，１９ＢからのＲ光，Ｇ光，Ｂ光を色合成したものである。
【００６０】
そして、Ｘ軸方向調整用パターン画像ＧｘによりＧ用の反射型液晶ライトバルブ１９Ｒに対してＲ用の反射型液晶ライトバルブ１９Ｒ及び／又はＢ用の反射型液晶ライトバルブ１９ＢをＸ軸方向に取り付け位置を調整するにあたって、Ｘ軸方向調整用パターン画像Ｇｘ中において、画枠の中心０近傍を通過する１本のＨ走査線（水平方向走査線）が画枠の中心０近傍に設定されたＹ軸に平行な垂直白線部と交差する点、言い換えると、画枠の中心０近傍に設定されたＹ軸に平行な垂直白線部上で画枠の中心０近傍の点がＸ軸方向検出位置であり、この点でＧ光に対してＲ光及び／又はＢ光がＸ軸方向に位置ズレしていると、完全な白色の点にならないので、Ｇ光に対するＲ光及び／又はＢ光のＸ軸方向への各位置ズレ量をマイコン５１内で検出して予め設定した許容閾値と比較し、Ｒ光及び／又はＢ光のＸ軸方向への各位置ズレ量が予め設定した許容閾値内に収まるようにＲ光及び／又はＢ光用の各誤差制御信号をマイコン５１内で生成し、Ｒ光及び／又はＢ光用の各誤差制御信号に基づいてＲ用の反射型液晶ライトバルブ１９Ｒ及び／又はＢ用の反射型液晶ライトバルブ１９ＢをＲ用及び／又はＢ用のライトバルブＸ軸駆動回路５３，ライトバルブＸ軸駆動部３０を介してＸ軸方向に調整している。
【００６１】
一方、Ｙ軸方向調整用パターン画像ＧｙによりＧ用の反射型液晶ライトバルブ１９Ｒに対してＲ用の反射型液晶ライトバルブ１９Ｒ及び／又はＢ用の反射型液晶ライトバルブ１９ＢをＹ軸方向に取り付け位置を調整するにあたって、Ｙ軸方向調整用パターン画像Ｇｙ中において、画枠の中心０近傍を通過する１本のＶ走査線（垂直方向走査線）が画枠の中心０近傍に設定されたＸ軸に平行な水平白線部と交差する点、言い換えると、画枠の中心０近傍に設定されたＸ軸に平行な水平白線部上で画枠の中心０近傍の点がＹ軸方向検出位置であり、この点でＧ光に対してＲ光及び／又はＢ光がＹ軸方向に位置ズレしていると、完全な白色の点にならないので、Ｇ光に対するＲ光及び／又はＢ光のＹ軸方向への各位置ズレ量をマイコン５１内で検出して予め設定した許容閾値と比較し、Ｒ光及び／又はＢ光のＹ軸方向への各位置ズレ量が予め設定した許容閾値内に収まるようにＲ光及び／又はＢ光用の各誤差制御信号をマイコン５１内で生成し、Ｒ光及び／又はＢ光用の各誤差制御信号に基づいてＲ用の反射型液晶ライトバルブ１９Ｒ及び／又はＢ用の反射型液晶ライトバルブ１９ＢをＲ用及び／又はＢ用のライトバルブＹ軸駆動回路５４，ライトバルブＹ軸駆動部４０を介してＹ軸方向に調整している。
【００６２】
この後、Ｒ用の反射型液晶ライトバルブ１９Ｒ及び／又はＢ用の反射型液晶ライトバルブ１９Ｂの取り付け位置の調整が終了したら、反射型液晶ライトバルブ１９Ｒ，１９Ｇ，１９Ｂに映像回路５２から各色の映像信号５２ｓを同時に印加することで、スクリーン２３上にレジストレーションのずれが生じていないカラー画像を得ることができる。
【００６３】
上記した実施例１によれば、サービスマンなどがデジタルカメラ５５を持参していれば、ユーザー先でレジストレーション調整を短時間でより一層簡易に行うことができる。
【００６４】
尚、上記した実施例１において、図５に示したＸ軸及びＹ軸方向調整用十字状パターン画像Ｇｘｙ、又は、図７に示したＸ軸方向調整用パターン画像Ｇｘ，Ｙ軸方向調整用パターン画像Ｇｙは、反射型液晶ライトバルブ１９Ｒ，１９Ｇ，１９Ｂ       から出射されたＲ光，Ｇ光，Ｂ光を色合成して白色光を得ているものの、これに限定されるものでもなく、取り付け基準となる反射型液晶ライトバルブ１９Ｇから出射された規準の色光（Ｇ光）と少なくとも位置合わせ対象となる反射型液晶ライトバルブ（１９Ｒ又は１９Ｂ）から出射された色光（Ｒ光又はＢ光）とを色合成した合成光を用いれば良く、この場合には基準の色光に対して位置合わせ対象となる色光の位置ズレ量を検出して、位置合わせ対象となる反射型液晶ライトバルブのみを調整すれば良いものである。
【実施例２】
【００６５】
図８は本発明に係る実施例２の投射型表示システムの光学的な構成を示した構成図、
図９は図８に示した投射用表示素子（反射型液晶ライトバルブ）をＸ軸方向，Ｙ１軸方向，Ｙ２軸方向に変位させるライトバルブＸＹ軸駆動部を説明するための斜視図、
図１０（ａ）〜（ｄ）は図９に示したライトバルブＸＹ軸駆動部の動作を説明するために模式的に示した平面図である。
【００６６】
図８に示した本発明に係る実施例２の投射型表示システム１０Ｂは、先に図１を用いて説明した実施例１の投射型表示システム１０Ａの構成と一部を除いて同様の構成であり、ここでは説明の便宜上、先に示した構成部材に対しては同一の符号を付して図示し、且つ、実施例１の投射型表示システム１０Ａに対して異なる構成部材に新たな符号を付して異なる点についてのみ説明する。
【００６７】
図８に示した如く、本発明に係る実施例２の投射型表示システム１０Ｂでは、取り付け基準となるＧ用の反射型液晶ライトバルブ１９Ｇに対してＲ用の反射型液晶ライトバルブ１９Ｒ及び／又はＢ用の反射型液晶ライトバルブ１９Ｂの取り付ける位置を調整する際に、Ｘ軸方向への調整と、ＸＹ軸面内での回動調整とが可能になるようにライトバルブＸＹ軸駆動部６０，６０上にＲ用，Ｂ用の反射型液晶ライトバルブ１９Ｒ，１９Ｂがそれぞれ搭載されている。
【００６８】
この際、上記したライトバルブＸＹ軸駆動部６０は、後述するように、Ｒ用の液晶ライトバルブ１９Ｒ又はＢ用の反射型液晶ライトバルブ１９Ｂを搭載した移動台６２にＸ軸方向押圧片６２ｃとＹ１，Ｙ２軸方向押圧片６２ｄ１，６２ｄ２とが押圧可能に設けられて、この移動台６２が支持枠体６１内でＸ軸方向に変位可能で且つＸＹ軸面内を回動可能に支持されている。
【００６９】
ここで、上記したライトバルブＸＹ軸駆動部６０について図９を用いて具体的に説明すると、Ｒ用，Ｂ用の反射型液晶ライトバルブ１９Ｒ，１９Ｂへの位置合わせ用変位手段となるライトバルブＸＹ軸駆動部６０では、内部を矩形状に肉抜きし且つ固定部材となる支持枠体６１内に移動台６２が一対の板バネ６３，６４を介して図示しないリードスクリュ−とか積層型圧電素子などの駆動力によってＸ軸方向に変位可能で、且、ＸＹ軸面内を回動可能に支持されている。
【００７０】
上記した支持枠体６１は、一対の板バネ６３，６４を介して内部に移動台６２を支持すると共に、底面部６１ａが先に図３を用いて説明したＲ用の偏光ビームスプリッタ１８Ｒに固着したブラケット２５Ｒ又はＢ用の偏光ビームスプリッタ１８Ｂに固着したブラケット２５Ｂに取り付けられるようになっている。
【００７１】
また、移動台６２は略矩形状に形成した一方の平坦面６２ａ上にＲ用の反射型液晶ライトバルブ１９Ｒ又はＢ用の反射型液晶ライトバルブ１９Ｂが偏光ビームスプリッタ１８Ｒ側又は偏光ビームスプリッタ１８Ｂ側に向かって固着されている。また、移動台６２の一方の平坦面６２ａと対向する他方の平坦面６２ｂ側には、図示しないモータ駆動源と連結して直線的に進退するリードスクリュ−とか、電圧印加に伴って伸び縮みする積層型圧電素子などによってＸ軸方向に押圧するためのＸ軸方向押圧片６２ｃが移動台６２の右側面６２ｉ側でＹ軸方向の中央部位に突出形成され、且つ、Ｙ１，Ｙ２軸方向に押圧するためのＹ１，Ｙ２軸方向押圧片６２ｄ１，６２ｄ２が移動台６２の後側面６２ｆ側でＸ軸方向の左右に分かれて突出形成されている。
【００７２】
尚、Ｘ軸方向押圧片６２ｃ、Ｙ１，Ｙ２軸方向押圧片６２ｄ１，６２ｄ２とそれぞれ対応して設けた図示しないリードスクリュ−とか積層型圧電素子などには、Ｘ軸方向の基準位置、Ｙ１，Ｙ２軸方向の各基準位置を出力するエンコーダがそれぞれ取り付けられているものとする。
【００７３】
また、移動台６２の４隅のコーナ部位に切り欠き部６２ｇが矩形状に切り欠かれており、これら４隅の切り欠き部６２ｇは一対の板バネ６３，６４が変位した時の逃げ用になっている。
【００７４】
また、一対の板バネ６３，６４は互いに対向してコ字状に折り曲げられており、且つ、一対の板バネ６３，６４の各中間部位６３ａ，６４ａが移動台６２の左右の側面６２ｈ，６２ｉ側で各切り欠き部６２ｇの近傍にネジ６５により固着されている。
【００７５】
この際、図示手前側の板バネ６３の両端は、移動台６２の前後の側面６２ｅ，６２ｆ側にコ字状に折り曲げられてコ字状部６３ｂ，６３ｃが形成されており、これらのコ字状部６３ｂ，６３ｃの先端に形成したコ字状支持部６３ｂ１，６３ｃ１が支持枠体６１の底面部６１ａの内側に互いに対向して切り起こした支持片６１ｂ，６１ｃにネジ６６により固着されている。
【００７６】
また、上記と対称な図示奥側の板バネ６４の両端は、移動台６２の前後の側面６２ｅ，６２ｆ側にコ字状に折り曲げられてコ字持部６４ｂ，６４ｃが形成されており、これらのコ字状部６４ｂ，６４ｃの先端に形成したコ字状支持部６４ｂ１，６４ｃ１が支持枠体６１の底面部６１ａの内側に互いに対向して切り起こした支持片６１ｄ，６１ｅにネジ６６により固着されている。
【００７７】
次に、上記のように構成したライトバルブＸＹ軸駆動部６０の動作を図１０（ａ）〜（ｄ）を用いて説明する。
【００７８】
まず、図１０（ａ）に示した如く、ライトバルブＸＹ軸駆動部６０は初期状態であり、支持枠体６１内に移動台６２が一対の板バネ６３，６４を介してＸ軸方向に変位自在に支持され、且つ、ＸＹ軸面内を回動可能に支持されている。ここでは、移動台６２の他方の平坦面６２ｂに突出形成したＸ軸方向押圧片６２ｃと、Ｙ１，Ｙ２軸方向押圧片６２ｄ１，６２ｄ２とに力が何等作用していないために、一対の板バネ６３，６４は何等変位しないので、移動台６２に固着したＲ用の反射型液晶ライトバルブ１９Ｒ又はＢ用の反射型液晶ライトバルブ１９ＢはＸ軸方向及び／又はＹ１，Ｙ２軸方向に変位することなく初期状態を保っている。
【００７９】
次に、図１０（ｂ）に示した如く、図示しないリードスクリュ−とか積層型圧電素子などによって移動台６２に形成したＸ軸方向押圧片６２ｃを力ＦｘでＸ軸方向に押圧すると、一対の板バネ６３，６４の各中間部位６３ａ，６４ａの両端近傍がＸ軸方向に変位するので、これにより移動台６２に固着したＲ用の反射型液晶ライトバルブ１９Ｒ又はＢ用の反射型液晶ライトバルブ１９ＢもＸ軸方向に変位できる。
【００８０】
尚、移動台６２を上記に対して逆方向に変位させる場合には、図示しないリードスクリュ−とか積層型圧電素子などによって移動台６２に形成したＸ軸方向押圧片６２ｃを上記とは逆方向の力−Ｆｘで押圧すれば良い。
【００８１】
次に、図１０（ｃ）に示した如く、図示しないリードスクリュ−とか積層型圧電素子などによって移動台６２に形成したＹ１，Ｙ２軸方向押圧片６２ｄ１，６２ｄ２を同じ力Ｆｙ，ＦｙでＹ１，Ｙ２軸方向に押圧すると、一対の板バネ６３，６４の各コ字状部（６３ｂ，６３ｃ），（６４ｂ，６４ｃ）がＹ１，Ｙ２軸方向に略平行に変位するので、これにより移動台６２に固着したＲ用の反射型液晶ライトバルブ１９Ｒ又はＢ用の反射型液晶ライトバルブ１９ＢもＹ軸方向（Ｙ１，Ｙ２軸方向）に略平行に変位できる。
【００８２】
尚、移動台６２を上記に対して逆方向に変位させる場合には、図示しないリードスクリュ−とか積層型圧電素子などによって移動台６２に形成したＹ１，Ｙ２軸方向押圧片６２ｄ１，６２ｄ２を上記とは逆方向の同じ力−Ｆｙ，−Ｆｙで押圧すれば良い。
【００８３】
次に、図１０（ｄ）に示した如く、図示しないリードスクリュ−とか積層型圧電素子などによって移動台６２に形成したＹ１軸方向押圧片６２ｄ１を力Ｆｙ１でＹ１軸方向に押圧すると共に、Ｙ２軸方向押圧片６２ｄ２を力Ｆｙ１よりも弱い力Ｆｙ２でＹ２軸方向に押圧すると、移動台６２に図示時計方向の回転モーメントＭが働き、一対の板バネ６３，６４の各中間部位６３ａ，６４ａの両端近傍と、各コ字状部（６３ｂ，６３ｃ），（６４ｂ，６４ｃ）とが図示時計方向に変位するので、これにより移動台６２に固着したＲ用の反射型液晶ライトバルブ１９Ｒ又はＢ用の反射型液晶ライトバルブ１９ＢもＸＹ軸面内を図示時計方向に回動できる。
【００８４】
ここで、本発明に係る実施例２の投射型表示システム１０Ｂにおいて、実施例２の要部となる信号処理部について図１１〜図１３を用いて説明する。
【００８５】
図１１は本発明に係る実施例２の投射型表示システム内に設けた信号処理部を示したブロック図、
図１２は図１１に示したＸ軸及びＹ軸方向調整用十字状パターン画像Ｇｘｙに基づいてＲ用及び／又はＢ用の反射型液晶ライトバルブをＸ軸方向，Ｙ１軸方向，Ｙ２軸方向に調整する動作を説明するための図、
図１３は図１１に示したＸ軸方向調整用パターン画像Ｇｘ，Ｙ１軸方向調整用パターン画像Ｇｙ１，Ｙ２軸方向調整用パターン画像Ｇｙ２に基づいてＲ用及び／又はＢ用の反射型液晶ライトバルブをＸ軸方向，Ｙ１軸方向，Ｙ２軸方向に調整する動作を説明するための図である。
【００８６】
図１１に示した実施例２の信号処理部５０Ｂは、先に図４を用いて説明した実施例１の信号処理部５０Ａと一部を除いて同様の構成であり、ここでは説明の便宜上、先に示した構成部材に対しては同一の符号を付し図示し、且つ、実施例１の信号処理部５０Ａに対して異なる構成部材に新たな符号を付して異なる点についてのみ説明する。
【００８７】
図１１に示した如く、実施例２の信号処理部５０Ｂにおいて、前述したように、取り付け位置調整時の基準となるＧ用の反射型液晶ライトバルブ（１９Ｇ）にはライトバルブＸＹ軸駆動部が設けられてなく、一方、Ｇ用の反射型液晶ライトバルブ（１９Ｇ）に対して取り付け位置を調整するＲ用，Ｂ用の反射型液晶ライトバルブ１９Ｒ，１９ＢにライトバルブＸＹ軸駆動部６０がそれぞれ設けられており、このライトバルブＸＹ軸駆動部６０は、先に図９を用いて説明した移動台６２に設けたＸ軸方向押圧片（ライトバルブＸ軸駆動部）６２ｃとＹ１軸方向押圧片（ライトバルブＹ１軸駆動部）６２ｄ１とＹ２軸方向押圧片（ライトバルブＹ２軸駆動部）６２ｄ２とで構成されている。尚、図示の都合上、偏向ビームスプリッタ１８Ｒ，（１８Ｇ），１８Ｂ及び反射型液晶ライトバルブ１９Ｒ，（１９Ｇ），１９Ｂをそれぞれ1つのみ図示している。
【００８８】
上記した実施例２の信号処理部５０Ｂでは、実施例２の投射型表示システム１０Ｂ（図８）の全体を制御する制御手段となるマイコン５１と、内部に調整用パターン信号発生器５２Ｂを有し且つマイコン５１からの指令によりＲ用，（Ｇ用），Ｂ用の反射型液晶ライトバルブ１９Ｒ，（１９Ｇ），１９Ｂに映像信号５２ｓと後述するＸ軸及びＹ軸方向調整用十字状パターン信号５２ｘｙ（又は、Ｘ軸方向調整用パターン信号５２ｘ，Ｙ１軸方向調整用パターン信号５２ｙ１，Ｙ２軸方向調整用パターン信号５２ｙ２）とをそれぞれのタイミングで印加する映像回路５２と、マイコン５１からの指令によりＲ用，Ｂ用の反射型液晶ライトバルブ１９Ｒ，１９Ｂをそれぞれ取り付けたライトバルブＸ軸駆動部６２ｃ，ライトバルブＹ１軸駆動部６２ｄ１，ライトバルブＹ２軸駆動部６２ｄ２にＸ軸駆動信号７１ａ，Ｙ１軸駆信号７２ａ，Ｙ２軸駆信号７３ａをそれぞれのタイミングで供給するライトバルブＸ軸駆動回路７１，ライトバルブＹ１軸駆動回路７２，ライトバルブＹ２軸駆動回路７３と、Ｒ用，Ｂ用の反射型液晶ライトバルブ１９Ｒ，１９Ｂの取り付け位置調整時にＸ軸及びＹ軸方向調整用十字状パターン信号５２ｘｙ（又は、Ｘ軸方向調整用パターン信号５２ｘ，Ｙ１軸方向調整用パターン信号５２ｙ１，Ｙ２軸方向調整用パターン信号５２ｙ２）に基づいてスクリーン２３に投射したＸ軸及びＹ軸方向調整用十字状パターン画像Ｇｘｙ（又は、Ｘ軸方向調整用パターン画像Ｇｘ，Ｙ１軸方向調整用パターン画像Ｇｙ１，Ｙ２軸方向調整用パターン画像Ｇｙ２）を撮影したデジタルカメラ５５からのＸ軸及びＹ軸方向調整用十字状パターン・デジタル画像信号５５ｘｙ（又は、Ｘ軸方向調整用パターン・デジタル画像信号５５ｘ，Ｙ１軸方向調整用パターン・デジタル画像信号５５ｙ１，Ｙ２軸方向調整用パターン・デジタル画像信号５５ｙ２）を入力してマイコン５１側に送出する端子Ｔ１とで構成されている。
【００８９】
この際、上記したデジタルカメラ５５は、Ｇ用の反射型液晶ライトバルブ１９Ｇを取り付け基準としてＲ用，Ｂ用の反射型液晶ライトバルブ１９Ｒ，１９Ｂの取り付け位置を調整する時に用いられるものであり、ユーザー先でＲ用の反射型液晶ライトバルブ１９Ｒ及び／又はＢ用の反射型液晶ライトバルブ１９Ｂへの取り付け位置を調整する場合にサービスマンがデジタルカメラ５５を持参すれば良いものである。
【００９０】
ここで、デジタルカメラ５５で撮影した時のカラー画像は、図１２に示すＸ軸及びＹ軸方向調整用十字状パターン画像Ｇｘｙによる形式の場合、又は、図１３に示すＸ軸方向調整用パターン画像Ｇｘ，Ｙ１軸方向調整用パターン画像Ｇｙ１，Ｙ２軸方向調整用パターン画像Ｇｙ２による形式の場合のいずれか一方である。
【００９１】
まず、図１２に示したＸ軸及びＹ軸方向調整用十字状パターン画像Ｇｘｙをデジタルカメラ５５で撮影して端子Ｔ１を介してマイコン５１のメモリ５１ａ内に取り込んだ時のカラー画像データは図１２の形式と等価であるため、以下、図１２を代用して説明する。
【００９２】
上記したＸ軸及びＹ軸方向調整用十字状パターン画像Ｇｘｙは、横方向が縦方向よりも長いスクリーン２３（図８，図１１）に投射されたカラー画像の画枠の中心０を通って水平方向のＸ軸と垂直方向のＹ軸とを直交させて設定した時に、画枠の中心０を通ってＸ軸方向とＹ軸方向とに直交し且つ太さが１ピクセルの十字状の白線部と、この白線部以外の画枠内を黒色で塗りつぶした黒色部とからなっており、且つ、十字状の白線部は反射型液晶ライトバルブ１９Ｒ，１９Ｇ，１９ＢからのＲ光，Ｇ光，Ｂ光を色合成したものである。
【００９３】
尚、この実施例２におけるＸ軸及びＹ軸方向調整用十字状パターン画像Ｇｘｙにおいて、上記した十字状の白線部は必ずしもＸ軸及びＹ軸に一致させる必要もなく、Ｘ軸及びＹ軸と平行で画枠の中心０近傍で直交させれば良いものである。
【００９４】
そして、Ｘ軸及びＹ軸方向調整用十字状パターン画像ＧｘｙによりＧ用の反射型液晶ライトバルブ１９Ｒに対してＲ用の反射型液晶ライトバルブ１９Ｒ及び／又はＢ用の反射型液晶ライトバルブ１９ＢをＸ軸方向に取り付け位置を調整するにあたって、Ｘ軸及びＹ軸方向調整用十字状パターン画像Ｇｘｙ中において、画枠の中心０近傍を通過する１本のＨ走査線（水平方向走査線）が十字状の白線部中でＹ軸に平行な垂直線（＝Ｙ軸）と交差する点、言い換えると、十字状の白線部中でＹ軸に平行な垂直線（＝Ｙ軸）上で画枠の中心０近傍の点がＸ軸方向検出位置であり、この点でＧ光に対してＲ光及び／又はＢ光がＸ軸方向に位置ズレしていると、完全な白色の点にならないので、Ｇ光に対するＲ光及び／又はＢ光のＸ軸方向への各位置ズレ量をマイコン５１内で検出して予め設定した許容閾値と比較し、Ｒ光及び／又はＢ光のＸ軸方向への各位置ズレ量が予め設定した許容閾値内に収まるようにＲ光及び／又はＢ光用の各誤差制御信号をマイコン５１内で生成し、Ｒ光及び／又はＢ光用の各誤差制御信号に基づいてＲ用の反射型液晶ライトバルブ１９Ｒ及び／又はＢ用の反射型液晶ライトバルブ１９ＢをＲ用及び／又はＢ用のライトバルブＸ軸駆動回路７１，ライトバルブＸ軸駆動部６２ｃを介してＸ軸方向に調整している。
【００９５】
一方、Ｘ軸及びＹ軸方向調整用十字状パターン画像ＧｘｙによりＧ用の反射型液晶ライトバルブ１９Ｒに対してＲ用の反射型液晶ライトバルブ１９Ｒ及び／又はＢ用の反射型液晶ライトバルブ１９ＢをＸＹ軸面内で回動させるようにＹ１軸方向，Ｙ２軸方向に取り付け位置を調整するにあたって、Ｘ軸及びＹ軸方向調整用十字状パターン画像Ｇｘｙ中において、画枠内の左右を通過する２本のＶ１，Ｖ２走査線（垂直方向走査線）が十字状の白線部中でＸ軸に平行な水平線（＝Ｘ軸）の左右と交差する点、言い換えると、十字状の白線部中でＸ軸に平行な水平線（＝Ｘ軸）上で画枠内の左右の各点がＹ１軸方向検出位置，Ｙ２軸方向検出位置であり、この各点でＧ光に対してＲ光及び／又はＢ光がＹ１軸方向，Ｙ２軸方向に位置ズレしていると、完全な白色の点にならないので、Ｇ光に対するＲ光及び／又はＢ光のＹ１軸方向，Ｙ２軸方向への各位置ズレ量をマイコン５１内で検出して予め設定した許容閾値と比較し、Ｒ光及び／又はＢ光のＹ１軸方向，Ｙ２軸方向への各位置ズレ量が予め設定した許容閾値内に収まるようにＲ光及び／又はＢ光用の各誤差制御信号をマイコン５１内で生成し、Ｒ光及び／又はＢ光用の各誤差制御信号に基づいてＲ用の反射型液晶ライトバルブ１９Ｒ及び／又はＢ用の反射型液晶ライトバルブ１９ＢをＲ用及び／又はＢ用のライトバルブＹ１，Ｙ２軸駆動回路７２，７３，ライトバルブＹ１，Ｙ２軸駆動部６２ｄ１，６２ｄ２を介してＹ１軸方向，Ｙ２軸方向に調整している。
【００９６】
この後、Ｒ用の反射型液晶ライトバルブ１９Ｒ及び／又はＢ用の反射型液晶ライトバルブ１９Ｂの取り付け位置の調整が終了したら、反射型液晶ライトバルブ１９Ｒ，１９Ｇ，１９Ｂに映像回路５２から各色の映像信号５２ｓを同時に印加することで、スクリーン２３上にレジストレーションのずれが生じていないカラー画像を得ることができる。
【００９７】
次に、図１３に示したＸ軸方向調整用パターン画像Ｇｘ，Ｙ１軸方向調整用パターン画像Ｇｙ１，Ｙ２軸方向調整用パターン画像Ｇｙ２をデジタルカメラ５５で撮影して端子Ｔ１を介してマイコン５１のメモリ５１ａ内に取り込んだ時のカラー画像データは図１３の形式と等価であるため、以下、図１３を代用して説明する。
【００９８】
上記したＸ軸方向調整用パターン画像Ｇｘと、ＸＹ軸面内回動調整用となるＹ１軸方向調整用パターン画像Ｇｙ１及びＹ２軸方向調整用パターン画像Ｇｙ２は、先に図１２を用いて説明したＸ軸及びＹ軸方向調整用十字状パターン画像Ｇｘｙ中でＸ軸方向検出位置，Ｙ１軸方向検出位置，Ｙ２軸方向検出位置の各部分だけを抜き出したものであり、より具体的に説明すると、横方向が縦方向よりも長いスクリーン２３（図８，図１１）に投射されたカラー画像の画枠の中心０を通って水平方向のＸ軸と垂直方向のＹ軸とを直交させて設定した時に、Ｘ軸方向調整用パターン画像Ｇｘは画枠の中心０近傍に太さが１ピクセルで部分的に表示した垂直白線部とこの垂直白線部に平行な両側を黒色で塗りつぶした黒色部とでＸ軸方向検出位置を形成し、一方、Ｙ１軸方向調整用パターン画像Ｇｙ１，Ｙ２軸方向調整用パターン画像Ｇｙ２はＸ軸近傍で画枠内の左右に太さが１ピクセルで部分的に表示した左右の水平白線部とこの左右の水平白線部に平行な両側をそれぞれ黒色で塗りつぶした左右の黒色部とでＹ１軸方向検出位置，Ｙ２軸方向検出位置を形成し、更に、Ｘ軸方向検出位置内の垂直白線部及びＹ１，Ｙ２軸方向検出位置内の水平白線部は反射型液晶ライトバルブ１９Ｒ，１９Ｇ，１９ＢからのＲ光，Ｇ光，Ｂ光を色合成したものである。
【００９９】
そして、Ｘ軸方向調整用パターン画像ＧｘによりＧ用の反射型液晶ライトバルブ１９Ｒに対してＲ用の反射型液晶ライトバルブ１９Ｒ及び／又はＢ用の反射型液晶ライトバルブ１９ＢをＸ軸方向に取り付け位置を調整するにあたって、Ｘ軸方向調整用パターン画像Ｇｘ中において、画枠の中心０近傍を通過する１本のＨ走査線（水平方向走査線）が画枠の中心０近傍に設定されたＹ軸に平行な垂直白線部と交差する点、言い換えると、画枠の中心０近傍に設定されたＹ軸に平行な垂直白線部上で画枠の中心０近傍の点がＸ軸方向検出位置であり、この点でＧ光に対してＲ光及び／又はＢ光がＸ軸方向に位置ズレしていると、完全な白色の点にならないので、Ｇ光に対するＲ光及び／又はＢ光のＸ軸方向への各位置ズレ量をマイコン５１内で検出して予め設定した許容閾値と比較し、Ｒ光及び／又はＢ光のＸ軸方向への各位置ズレ量が予め設定した許容閾値内に収まるようにＲ光及び／又はＢ光用の各誤差制御信号をマイコン５１内で生成し、Ｒ光及び／又はＢ光用の各誤差制御信号に基づいてＲ用の反射型液晶ライトバルブ１９Ｒ及び／又はＢ用の反射型液晶ライトバルブ１９ＢをＲ用及び／又はＢ用のライトバルブＸ軸駆動回路７１，ライトバルブＸ軸駆動部６２ｃを介してＸ軸方向に調整している。
【０１００】
一方、Ｙ１軸方向調整用パターン画像Ｇｙ１，Ｙ２軸方向調整用パターン画像Ｇｙ２によりＧ用の反射型液晶ライトバルブ１９Ｒに対してＲ用の反射型液晶ライトバルブ１９Ｒ及び／又はＢ用の反射型液晶ライトバルブ１９ＢをＸＹ軸面内で回動させるようにＹ１軸方向，Ｙ２軸方向に取り付け位置を調整するにあたって、Ｙ１軸方向調整用パターン画像Ｇｙ１，Ｙ２軸方向調整用パターン画像Ｇｙ２中において、画枠内の左右を通過する２本のＶ１，Ｖ２走査線（垂直方向走査線）が画枠の中心０近傍に設定されたＸ軸に平行な水平白線部の左右と交差する点、言い換えると、画枠の中心０近傍に設定されたＸ軸に平行な水平白線部上で画枠内の左右の各点がＹ１軸方向検出位置，Ｙ２軸方向検出位置であり、これらの各点でＧ光に対してＲ光及び／又はＢ光がＹ１軸方向，Ｙ２軸方向に位置ズレしていると、完全な白色である各一点にならないので、Ｇ光に対するＲ光及び／又はＢ光のＹ１軸方向，Ｙ２軸方向への各位置ズレ量をマイコン５１内で検出して予め設定した許容閾値と比較し、Ｒ光及び／又はＢ光のＹ１軸方向，Ｙ２軸方向への各位置ズレ量が予め設定した許容閾値内に収まるようにＲ光及び／又はＢ光用の各誤差制御信号をマイコン５１内で生成し、Ｒ光及び／又はＢ光用の各誤差制御信号に基づいてＲ用の反射型液晶ライトバルブ１９Ｒ及び／又はＢ用の反射型液晶ライトバルブ１９ＢをＲ用及び／又はＢ用のライトバルブＹ１軸駆動回路７２，ライトバルブＹ２軸駆動回路７３，ライトバルブＹ１軸駆動部６２ｄ１，ライトバルブＹ２軸駆動部６２ｄ２を介してＹ１軸方向，Ｙ２軸方に調整している。
【０１０１】
この後、Ｒ用の反射型液晶ライトバルブ１９Ｒ及び／又はＢ用の反射型液晶ライトバルブ１９Ｂの取り付け位置の調整が終了したら、反射型液晶ライトバルブ１９Ｒ，１９Ｇ，１９Ｂに映像回路５２から各色の映像信号５２ｓを同時に印加することで、スクリーン２３上にレジストレーションのずれが生じていないカラー画像を得ることができる。
【０１０２】
上記した実施例２によれば、サービスマンなどがデジタルカメラ５５を持参していれば、ユーザー先でレジストレーション調整を短時間でより一層簡易に行うことができる。
【０１０３】
尚、上記した実施例２において、図１２に示したＸ軸及びＹ軸方向調整用十字状パターン画像Ｇｘｙ、又は、図１３に示したＸ軸方向調整用パターン画像Ｇｘ，Ｙ１軸方向調整用パターン画像Ｇｙ１，Ｙ２軸方向調整用パターン画像Ｇｙ２は、反射型液晶ライトバルブ１９Ｒ，１９Ｇ，１９Ｂから出射されたＲ光，Ｇ光，Ｂ光を色合成して白色光を得ているものの、これに限定されるものでもなく、取り付け基準となる反射型液晶ライトバルブ１９Ｇから出射された規準の色光（Ｇ光）と少なくとも位置合わせ対象となる反射型液晶ライトバルブ（１９Ｒ又は１９Ｂ）から出射された色光（Ｒ光又はＢ光）とを色合成した合成光を用いれば良く、この場合には基準の色光に対して位置合わせ対象となる色光の位置ズレ量を検出して、位置合わせ対象となる反射型液晶ライトバルブのみを調整すれば良いものである。
【０１０４】
尚更に、本発明に係る実施例１，２の投射型表示システム１０Ａ（図１），１０Ｂ（図８）において、各色の投射用表示素子は反射型液晶ライトバルブを用いて説明したが、これに限ることなく、３板式の画像表示素子を用いて構成した場合でも実施例１，２の技術的思想を適用することができる。
【図面の簡単な説明】
【０１０５】
【図１】本発明に係る実施例１の投射型表示システムの光学的な構成を示した構成図である。
【図２】（ａ），（ｂ）は図１に示した投射用表示素子（反射型液晶ライトバルブ）をＸ軸方向及び／又はＹ軸方向に変位させるＸ軸駆動部及びＹ軸駆動部を説明するための斜視図である。
【図３】図１に示したＲ，Ｇ，Ｂ用の各偏光ビームスプリッタを、３色合成用のクロスダイクロイックプリズムに一体的に取り付けた状態を示した斜視図である。
【図４】本発明に係る実施例１の投射型表示システム内に設けた信号処理部を示したブロック図である。
【図５】図４に示したＸ軸及びＹ軸方向調整用十字状パターン画像Ｇｘｙに基づいてＲ用及び／又はＢ用の反射型液晶ライトバルブをＸ軸方向，Ｙ軸方向に調整する動作を説明するための図である。
【図６】（ａ）〜（ｄ）は図５に示したＸ軸及びＹ軸方向調整用十字状パターン画像ＧｘｙのＸ軸方向検出位置（又は、Ｙ軸方向検出位置）内において、基準となるＧ光に対してＲ光，Ｂ光の位置ズレ状態を説明するために模式的に示した図である。
【図７】図４に示したＸ軸方向調整用パターン画像Ｇｘ，Ｙ軸方向調整用パターン画像Ｇｙに基づいてＲ用及び／又はＢ用の反射型液晶ライトバルブをＸ軸方向，Ｙ軸方向に調整する動作を説明するための図である。
【図８】本発明に係る実施例２の投射型表示システムの光学的な構成を示した構成図である。
【図９】図８に示した投射用表示素子（反射型液晶ライトバルブ）をＸ軸方向，Ｙ１軸方向，Ｙ２軸方向に変位させるライトバルブＸＹ軸駆動部を説明するための斜視図である。
【図１０】（ａ）〜（ｄ）は図９に示したライトバルブＸＹ軸駆動部の動作を説明するために模式的に示した平面図である。
【図１１】本発明に係る実施例２の投射型表示システム内に設けた信号処理部を示したブロック図である。
【図１２】図１１に示したＸ軸及びＹ軸方向調整用十字状パターン画像Ｇｘｙに基づいてＲ用及び／又はＢ用の反射型液晶ライトバルブをＸ軸方向，Ｙ１軸方向，Ｙ２軸方向に調整する動作を説明するための図である。
【図１３】図１１に示したＸ軸方向調整用パターン画像Ｇｘ，Ｙ１軸方向調整用パターン画像Ｇｙ１，Ｙ２軸方向調整用パターン画像Ｇｙ２に基づいてＲ用及び／又はＢ用の反射型液晶ライトバルブをＸ軸方向，Ｙ１軸方向，Ｙ２軸方向に調整する動作を説明するための図である。
【符号の説明】
【０１０６】
１０Ａ，１０Ｂ…実施例１，２の投射型表示システム、
１２…光源、１４…クロスダイクロイックミラー、
１７…ダイクロイックミラー、
１８Ｒ，１８Ｇ，１８Ｂ…偏光ビームスプリッタ、
１９Ｒ，１９Ｇ，１９Ｂ…投射用表示素子（反射型液晶ライトバルブ）、
２０…ベース台、
２１…クロスダイクロイックプリズム、
２２…投射レンズ、２３…スクリーン、
３０…ライトバルブＸ軸駆動部、
３１…Ｘ軸移動台、３３…第１ステッピングモータ、
４０…ライトバルブＹ軸駆動部、
４１…Ｙ軸移動台、４３…第２ステッピングモータ、
５０Ａ，５０Ｂ…実施例１，２の信号処理部、
５１…制御手段（マイコン）、５２…映像回路、
５２Ａ，５２Ｂ…調整用パターン信号発生器、
５２ｘｙ…Ｘ軸及びＹ軸方向調整用十字状パターン信号、
５２ｘ…Ｘ軸方向調整用パターン信号、５２ｙ…Ｙ軸方向調整用パターン信号、
５２ｙ１…Ｙ１軸方向調整用パターン信号、
５２ｙ２…Ｙ２軸方向調整用パターン信号、
５３…ライトバルブＸ軸駆動回路、５４…ライトバルブＹ軸駆動回路、
５５…デジタルカメラ、
５５ｘｙ…Ｘ軸及びＹ軸方向調整用十字状パターン・デジタル画像信号、
５５ｘ…Ｘ軸方向調整用パターン・デジタル画像信号、
５５ｙ…Ｙ軸方向調整用パターン・デジタル画像信号、
５５ｙ１…Ｙ１軸方向調整用パターン・デジタル画像信号、
５５ｙ２…Ｙ２軸方向調整用パターン・デジタル画像信号、
６０…ライトバルブＸＹ軸駆動部、
６１…支持枠体、
６２…移動台、６２ｃ…Ｘ軸方向押圧片（ライトバルブＸ軸駆動部）、
６２ｄ１…Ｙ１軸方向押圧片（ライトバルブＹ１軸駆動部）、
６２ｄ２…Ｙ２軸方向押圧片（ライトバルブＹ２軸駆動部）、
６３，６４…一対の板バネ、
７１…ライトバルブＸ軸駆動回路、
７２…ライトバルブＹ１軸駆動回路、７３…ライトバルブＹ２軸駆動回路、
Ｇｘｙ…Ｘ軸及びＹ軸方向調整用十字状パターン画像、
Ｇｘ…Ｘ軸方向調整用パターン画像、Ｇｙ…Ｙ軸方向調整用パターン画像、
Ｇｙ１…Ｙ１軸方向調整用パターン画像、Ｇｙ２…Ｙ２軸方向調整用パターン画像、
Ｋ…光軸、Ｌ…光源光、Ｔ１…端子。
【図１】
2007078714.tif 000003
【図２】
2007078714.tif 000004
【図３】
2007078714.tif 000005
【図４】
2007078714.tif 000006
【図６】
2007078714.tif 000007
【図８】
2007078714.tif 000008
【図９】
2007078714.tif 000009
【図１０】
2007078714.tif 000010
【図１１】
2007078714.tif 000011
【図５】
2007078714.tif 000012
【図７】
2007078714.tif 000013
【図１２】
2007078714.tif 000014
【図１３】
2007078714.tif 000015